(57)【要約】      （修正有）【課題】輸送管の振動や騒音を抑制するプラグ輸送システムを提供する。【解決手段】搬送元タンク２と、処理対象物をプレスにて脱水することによって、処理対象物を粉流体と搾汁とに分離する脱水プレス部３と、断続的な高圧気体によって、脱水プレス部３より供給された粉流体を搬送先にプラグ輸送する輸送管４と、搬送先タンク５と、圧送エア供給部６と、処理対象物から分離・抽出された搾汁を回収し、この回収物を用いてプラグ輸送される粉流体を加水する加水処理部７とにより構成される。【選択図】図１
2015224095.tif 000002
【特許請求の範囲】
【請求項１】
プラグ輸送システムにおいて、
処理対象物をプレスにて脱水することによって、前記処理対象物を粉流体と搾汁とに分離する脱水プレス部と、
断続的な高圧気体によって、前記脱水プレス部より供給された粉流体を搬送先にプラグ輸送する輸送管と、
前記処理対象物から分離された搾汁を回収し、当該回収物を用いて、前記プラグ輸送される粉流体を加水する加水処理部と
を有することを特徴とするプラグ輸送システム。
【請求項２】
前記加水処理部は、前記プラグ輸送される粉流体に対して、前記回収物を噴射する噴射ノズルを有することを特徴とする請求項１に記載されたプラグ輸送システム。
【請求項３】
前記加水処理部は、前記プラグ輸送される粉流体に対する加水量を調整する流量制御を行うことを特徴とする請求項１または２に記載されたプラグ輸送システム。
【請求項４】
前記輸送管の搬送先までの間において、加水された粉流体を再度プレスにて脱水することを特徴とする請求項１から３のいずれかに記載されたプラグ輸送システム。
【発明の詳細な説明】
【技術分野】
【０００１】
本発明は、脱水プレスされた粉流体をプラグ輸送するプラグ輸送システムに係り、特に、プラグ輸送における輸送管の振動・騒音対策に関する。
【背景技術】
【０００２】
特許文献１〜３に示すように、従来から、輸送効率が高い輸送方式の一つとして、プラグ輸送と呼ばれる輸送方式が知られている。プラグ輸送とは、輸送管内へ押し出された粉流体を断続的に高圧気体で切断し、輸送管内に気体の部分（気体プラグ）と粉流体の部分（粉流体プラグ）とを交互に形成することによって、粉流体を輸送する方式をいう。
【先行技術文献】
【特許文献】
【０００３】
【特許文献１】特開昭６３−３１０４１９号公報
【特許文献２】特開昭６３−１０６２３０号公報
【特許文献３】特開昭６０−２２３７２０号公報
【発明の概要】
【発明が解決しようとする課題】
【０００４】
ところで、ビールの製造過程において、仕込工程の濾過槽で麦汁を濾過することによって生じた糖化粕（麦芽粕）は、糖化粕処理場において処理すべく、糖化粕処理場に輸送される。しかしながら、糖化粕の輸送方式としてプラグ輸送を採用した場合、糖化粕の移送に伴い、輸送管に振動が生じ、それに起因して騒音が生じることがあった。
【０００５】
そこで、本発明の目的は、プラグ輸送における輸送管の振動や騒音を抑制することである。
【課題を解決するための手段】
【０００６】
かかる課題を解決するために、本発明は、脱水プレス部と、輸送管と、加水処理部とを有するプラグ輸送システムを提供する。脱水プレス部は、処理対象物をプレスにて脱水することによって、処理対象物を粉流体と搾汁とに分離する。輸送管は、断続的な高圧気体によって、脱水プレス部より供給された粉流体を搬送先にプラグ輸送する。加水処理部は、処理対象物から分離された搾汁を回収し、この回収物を用いて、プラグ輸送される粉流体を加水する。
【０００７】
ここで、本発明において、加水処理部は、プラグ輸送される粉流体に対して、回収物を噴射する噴射ノズルを有していてもよいし、プラグ輸送される粉流体に対する加水量を制御する流量制御を行ってもよい。また、輸送管の搬送先までの間において、加水された粉流体を再度プレスにて脱水することが好ましい。
【発明の効果】
【０００８】
本発明によれば、脱水プレスされた粉流体を加水して、粉流体の含水率を調整することによって、プラグ輸送時における輸送管の振動や騒音の発生を抑制できる。また、この加水のために、脱水プレスによって処理対象物から分離・抽出した搾汁を用いることで、加水用の新水（水道水等）の使用量を抑制できるので、節水が可能となる。
【図面の簡単な説明】
【０００９】
図１は、本実施形態に係るプラグ輸送システムの構成図である。このプラグ輸送システム１は、一例として、ビールを製造する際の中間生成物である麦汁を濾過する工程で生じた糖化粕（麦芽粕）を、場所的に離れた糖化粕処理場にエア圧送するための工場設備として用いられる。プラグ輸送システム１は、搬送元タンク２と、脱水プレス部３と、輸送管４と、搬送先タンク５と、圧送エア供給部６とよりなる基本構成に、加水処理部７を追加したものである。搬送元タンク２には、麦汁の濾過工程で生じた糖化粕（処理対象物）が随時移送され、これが貯留される。この搬送元タンク２の底部には、脱水プレス部３を経由して、糖化粕を輸送管４に導くためのスクリューコンベア２ａが設けられている。
【００１０】
図２は、脱水プレス部３の概略的な要部断面図である。この脱水プレス部３は、スクリューコンベア２ａと一体で回転する円錐台状のプレス体３ａと、このプレス体３ａの外周に固定されたパイプ状の筒状体３ｂとによって構成されている。プレス体３ａは、輸送管４ａに向かって径が徐々に大きくなるようなテーパー形状を有している。また、筒状体３ｂの表面には、多数のスクリーン孔３ｃ（微細孔）が形成されている。スクリューコンベア２ａの回転によって、スクリューコンベア２ａの軸方向に糖化粕が移送されるにつれて、径方向内側のプレス体３ａと径方向外側の筒状体３ｂとの間に存在する隙間（プレス空間）が徐々に狭くなり、これによって、糖化粕が徐々にプレスされていく。このプレスによって、糖化粕から搾り出された搾汁は、筒状体３ｂのスクリーン孔３ｃを介して糖化粕から分離され、所定の流路を経由して、加水処理部７ａの搾汁貯留槽７ａに貯留される。一方、搾汁の分離・抽出によって粉流体となった脱水プレス後の糖化粕は、スクリューコンベア２ａによって更に移送され、輸送管４内に押し出される。
【００１１】
輸送管４に供給された粉流体は、断続的な高圧気体によって、輸送管４に沿ってプラグ輸送され、糖化粕処理場内の搬送先タンク５に貯留される。具体的には、圧送エア供給部６は、エアコンプレッサにて生成された高圧エアを、逆止弁６を介して輸送管４内に断続的に供給する。スクリューコンベア２ａによって輸送管４内へ押し出された粉流体は、圧送エア供給部６より供給された断続的な高圧エアによって周期的に切断され、気体の部分（気体プラグ）と、粉流体の部分（粉流体プラグ）とを交互に形成しながら、輸送管４内を移動する。
【００１２】
脱水プレス部３と逆止弁９との間には、ナイフゲートバルブ８が設けられている。このナイフゲートバルブ８は、輸送管４内に粉流体の詰まりが発生した場合、スクリューコンベア２ａの一時的な停止ととともに閉鎖されることによって、輸送管４内の粕払い（詰まりの解消処理）を行うために設けられている。
【００１３】
加水処理部７は、糖化粕から分離された搾汁を回収し、この回収物たる搾汁を用いて、プラグ輸送される粉流体を加水して、その含水率を調整する。この加水処理部７は、搾汁貯留槽７ａと、ポンプ７ｂと、噴射ノズル７ｃとによって構成されている。搾汁貯留槽７ａには、脱水プレス部３での脱水プレスによって、糖化粕より分離された搾汁が貯留される。ポンプ７ｂは、搾汁貯留槽７ａに貯留された搾汁を吸い出して、加圧された状態で噴射ノズル７ｃに供給する。噴射ノズル７ｃは、その噴射口が輸送管４内に臨んでおり、ポンプ７ｂによって供給された加圧搾汁を輸送管４内に噴射する。その結果、輸送管４内を流れる粉流体は、噴射ノズル７ｃによる搾汁の噴射によって、全体が均一に加水される。搬送先に搬送された粉流体は、輸送管４の搬送先までの間に設けられた脱水プレス部（図示せず）によって再度脱水プレスされた後、搬送先タンク５に貯留され、最終的に、飼料用途等に供される。
【００１４】
図３は、変形例に係る加水処理部７の構成図である。この変形例では、含水率の異なる複数種のプラグ輸送が行われることを前提に、品種別に加水量を最適化すべく、プラグ輸送される粉流体に対する加水量を調整する流量制御（ＦＩＣ制御）が行われる。加水処理部７は、上述した貯留槽７ａ、ポンプ７ｂおよび噴射ノズル７ｃよりなる図１の構成に、流量センサ７ｄ、指示調整器７ｅ（ＦＩＣ）および流量制御弁７ｆを追加したものである。指示調整器７ｅは、流量センサ７ｄによって検出された測定値（実際の流量）が、作業者によって指示された指示値（目標値）になるように、流量制御弁７ｆの開度をフィードバック制御する。
【００１５】
本発明者は、上述したプラグ輸送時に発生する輸送管の振動や騒音の問題について鋭意検討した結果、振動や騒音の大きさは、麦芽品種によって異なり、振動の少ない麦芽品種の粕は、他のものに比べて多少含水率が高いという事実を見出した。本実施形態によれば、脱水プレス部３によって脱水プレスされた粉流体をプラグ輸送する際、加水処理部７によって粉流体を加水し、粉流体の含水率を調整することによって、振動や騒音の発生を抑制することができる。これは、粉流体に含有されている水分によって、輸送管４内を流れる粉流体（プラグ）に適度な摩擦抵抗が生じ、輸送管４内における急激な圧力変動が抑制されるからであると考えられる。本発明者が行った実験によれば、振動や騒音は粉流体の含水率が高くなるにつれて減少し、含水率が８０〜８１重量％以上では殆ど減少しなくなるという結果が得られた。このことから、加水処理部７による加水率の調整は、輸送管４内を流れる粉流体の最終的な含水率が約８０重量％になるように行うことが好ましい。
【００１６】
また、本実施形態によれば、脱水プレスによって糖化粕から分離した搾汁を、輸送管４を流れる粉流体に添加すれば、既存の設備の改良を最低限に抑制でき、含水率調整用の新水（水道水等）の使用量を抑制（全く使用しないことを含む）できるので、節水が可能となる。
【００１７】
さらに、本実施形態によれば、噴射ノズル７ｃを用いて粉流体への加水を行っているので、輸送管４内を流れる粉流体を均一に加水することができ、その結果、輸送管４における振動や騒音の発生をより効果的に抑制することができる。
【００１８】
なお、本実施形態のように、脱水プレス後に粉流体を再度加水する手法に代えて、脱水プレス部３におけるプレス圧を弱めることによって、含水率を調整する手法も考えられる。プレス圧を弱める方法としては、例えば、プレス体３ａのテーパーを緩くして上記プレス空間を広げたり、スクリーン孔３ｃを埋めたりするといった改良が考えられる。しかしながら、これらの場合、プレス空間内に充填されている糖化粕がエア抜け防止のためのシール材として十分に機能せず、輸送管４内に供給された高圧の圧送エアが脱水プレス部３を逆流し、プラグ輸送が実現できなくなるといった別の問題が生じるほか、既存の脱水プレス部３を改造するためのコストが嵩むといった問題もある。本実施形態では、脱水プレス部３自体の構成を変更する必要はないので、これらの問題が本来的に生じない点で、プレス圧を弱める方法よりも優れている。
【産業上の利用可能性】
【００１９】
本発明は、ビールの製造過程で生じる糖化粕のみならず、様々な目標物の生成過程で生じる各種の処理対象物を含めて、脱水プレスされた粉流体のプラグ輸送において、広く適用することができる。
【符号の説明】
【００２０】
１  プラグ輸送システム
２  搬送元タンク
２ａ  スクリューコンベア
３  脱水プレス部
３ａ  プレス体
３ｂ  筒状体
３ｃ  スクリーン孔
４  輸送管
５  搬送先タンク
６  圧送エア供給部
７  加水処理部
７ａ  搾汁貯留槽
７ｂ  ポンプ
７ｃ  噴射ノズル
７ｄ  流量センサ
７ｅ  指示調整器
７ｆ  流量制御弁
８  ナイフゲートバルブ
９  逆止弁
【図１】
2015224095.tif 000003
【図２】
2015224095.tif 000004
【図３】
2015224095.tif 000005
【手続補正書】
【提出日】平成26年6月4日(2014.6.4)
【手続補正１】
【補正対象書類名】明細書
【補正対象項目名】全文
【補正方法】変更
【補正の内容】
【発明の詳細な説明】
【技術分野】
【０００１】
本発明は、脱水プレスされた粉流体をプラグ輸送するプラグ輸送システムに係り、特に、プラグ輸送における輸送管の振動・騒音対策に関する。
【背景技術】
【０００２】
特許文献１〜３に示すように、従来から、輸送効率が高い輸送方式の一つとして、プラグ輸送と呼ばれる輸送方式が知られている。プラグ輸送とは、輸送管内へ押し出された粉流体を断続的に高圧気体で切断し、輸送管内に気体の部分（気体プラグ）と粉流体の部分（粉流体プラグ）とを交互に形成することによって、粉流体を輸送する方式をいう。
【先行技術文献】
【特許文献】
【０００３】
【特許文献１】特開昭６３−３１０４１９号公報
【特許文献２】特開昭６３−１０６２３０号公報
【特許文献３】特開昭６０−２２３７２０号公報
【発明の概要】
【発明が解決しようとする課題】
【０００４】
ところで、ビールの製造過程において、仕込工程の濾過槽で麦汁を濾過することによって生じた糖化粕（麦芽粕）は、糖化粕処理場において処理すべく、糖化粕処理場に輸送される。しかしながら、糖化粕の輸送方式としてプラグ輸送を採用した場合、糖化粕の移送に伴い、輸送管に振動が生じ、それに起因して騒音が生じることがあった。
【０００５】
そこで、本発明の目的は、プラグ輸送における輸送管の振動や騒音を抑制することである。
【課題を解決するための手段】
【０００６】
かかる課題を解決するために、本発明は、脱水プレス部と、輸送管と、加水処理部とを有するプラグ輸送システムを提供する。脱水プレス部は、処理対象物をプレスにて脱水することによって、処理対象物を粉流体と搾汁とに分離する。輸送管は、断続的な高圧気体によって、脱水プレス部より供給された粉流体を搬送先にプラグ輸送する。加水処理部は、処理対象物から分離された搾汁を回収し、この回収物を用いて、プラグ輸送される粉流体を加水する。
【０００７】
ここで、本発明において、加水処理部は、プラグ輸送される粉流体に対して、回収物を噴射する噴射ノズルを有していてもよいし、プラグ輸送される粉流体に対する加水量を制御する流量制御を行ってもよい。また、輸送管の搬送先までの間において、加水された粉流体を再度プレスにて脱水することが好ましい。
【発明の効果】
【０００８】
本発明によれば、脱水プレスされた粉流体を加水して、粉流体の含水率を調整することによって、プラグ輸送時における輸送管の振動や騒音の発生を抑制できる。また、この加水のために、脱水プレスによって処理対象物から分離・抽出した搾汁を用いることで、加水用の新水（水道水等）の使用量を抑制できるので、節水が可能となる。
【図面の簡単な説明】
【０００９】
【図１】本実施形態に係るプラグ輸送システムの構成図
【図２】脱水プレス部の概略的な要部断面図
【図３】変形例に係る加水処理部の構成図
【発明を実施するための形態】
【００１０】
図１は、本実施形態に係るプラグ輸送システムの構成図である。このプラグ輸送システム１は、一例として、ビールを製造する際の中間生成物である麦汁を濾過する工程で生じた糖化粕（麦芽粕）を、場所的に離れた糖化粕処理場にエア圧送するための工場設備として用いられる。プラグ輸送システム１は、搬送元タンク２と、脱水プレス部３と、輸送管４と、搬送先タンク５と、圧送エア供給部６とよりなる基本構成に、加水処理部７を追加したものである。搬送元タンク２には、麦汁の濾過工程で生じた糖化粕（処理対象物）が随時移送され、これが貯留される。この搬送元タンク２の底部には、脱水プレス部３を経由して、糖化粕を輸送管４に導くためのスクリューコンベア２ａが設けられている。
【００１１】
図２は、脱水プレス部３の概略的な要部断面図である。この脱水プレス部３は、スクリューコンベア２ａと一体で回転する円錐台状のプレス体３ａと、このプレス体３ａの外周に固定されたパイプ状の筒状体３ｂとによって構成されている。プレス体３ａは、輸送管４ａに向かって径が徐々に大きくなるようなテーパー形状を有している。また、筒状体３ｂの表面には、多数のスクリーン孔３ｃ（微細孔）が形成されている。スクリューコンベア２ａの回転によって、スクリューコンベア２ａの軸方向に糖化粕が移送されるにつれて、径方向内側のプレス体３ａと径方向外側の筒状体３ｂとの間に存在する隙間（プレス空間）が徐々に狭くなり、これによって、糖化粕が徐々にプレスされていく。このプレスによって、糖化粕から搾り出された搾汁は、筒状体３ｂのスクリーン孔３ｃを介して糖化粕から分離され、所定の流路を経由して、加水処理部７ａの搾汁貯留槽７ａに貯留される。一方、搾汁の分離・抽出によって粉流体となった脱水プレス後の糖化粕は、スクリューコンベア２ａによって更に移送され、輸送管４内に押し出される。
【００１２】
輸送管４に供給された粉流体は、断続的な高圧気体によって、輸送管４に沿ってプラグ輸送され、糖化粕処理場内の搬送先タンク５に貯留される。具体的には、圧送エア供給部６は、エアコンプレッサにて生成された高圧エアを、逆止弁６を介して輸送管４内に断続的に供給する。スクリューコンベア２ａによって輸送管４内へ押し出された粉流体は、圧送エア供給部６より供給された断続的な高圧エアによって周期的に切断され、気体の部分（気体プラグ）と、粉流体の部分（粉流体プラグ）とを交互に形成しながら、輸送管４内を移動する。
【００１３】
脱水プレス部３と逆止弁９との間には、ナイフゲートバルブ８が設けられている。このナイフゲートバルブ８は、輸送管４内に粉流体の詰まりが発生した場合、スクリューコンベア２ａの一時的な停止ととともに閉鎖されることによって、輸送管４内の粕払い（詰まりの解消処理）を行うために設けられている。
【００１４】
加水処理部７は、糖化粕から分離された搾汁を回収し、この回収物たる搾汁を用いて、プラグ輸送される粉流体を加水して、その含水率を調整する。この加水処理部７は、搾汁貯留槽７ａと、ポンプ７ｂと、噴射ノズル７ｃとによって構成されている。搾汁貯留槽７ａには、脱水プレス部３での脱水プレスによって、糖化粕より分離された搾汁が貯留される。ポンプ７ｂは、搾汁貯留槽７ａに貯留された搾汁を吸い出して、加圧された状態で噴射ノズル７ｃに供給する。噴射ノズル７ｃは、その噴射口が輸送管４内に臨んでおり、ポンプ７ｂによって供給された加圧搾汁を輸送管４内に噴射する。その結果、輸送管４内を流れる粉流体は、噴射ノズル７ｃによる搾汁の噴射によって、全体が均一に加水される。搬送先に搬送された粉流体は、輸送管４の搬送先までの間に設けられた脱水プレス部（図示せず）によって再度脱水プレスされた後、搬送先タンク５に貯留され、最終的に、飼料用途等に供される。
【００１５】
図３は、変形例に係る加水処理部７の構成図である。この変形例では、含水率の異なる複数種のプラグ輸送が行われることを前提に、品種別に加水量を最適化すべく、プラグ輸送される粉流体に対する加水量を調整する流量制御（ＦＩＣ制御）が行われる。加水処理部７は、上述した貯留槽７ａ、ポンプ７ｂおよび噴射ノズル７ｃよりなる図１の構成に、流量センサ７ｄ、指示調整器７ｅ（ＦＩＣ）および流量制御弁７ｆを追加したものである。指示調整器７ｅは、流量センサ７ｄによって検出された測定値（実際の流量）が、作業者によって指示された指示値（目標値）になるように、流量制御弁７ｆの開度をフィードバック制御する。
【００１６】
本発明者は、上述したプラグ輸送時に発生する輸送管の振動や騒音の問題について鋭意検討した結果、振動や騒音の大きさは、麦芽品種によって異なり、振動の少ない麦芽品種の粕は、他のものに比べて多少含水率が高いという事実を見出した。本実施形態によれば、脱水プレス部３によって脱水プレスされた粉流体をプラグ輸送する際、加水処理部７によって粉流体を加水し、粉流体の含水率を調整することによって、振動や騒音の発生を抑制することができる。これは、粉流体に含有されている水分によって、輸送管４内を流れる粉流体（プラグ）に適度な摩擦抵抗が生じ、輸送管４内における急激な圧力変動が抑制されるからであると考えられる。本発明者が行った実験によれば、振動や騒音は粉流体の含水率が高くなるにつれて減少し、含水率が８０〜８１重量％以上では殆ど減少しなくなるという結果が得られた。このことから、加水処理部７による加水率の調整は、輸送管４内を流れる粉流体の最終的な含水率が約８０重量％になるように行うことが好ましい。
【００１７】
また、本実施形態によれば、脱水プレスによって糖化粕から分離した搾汁を、輸送管４を流れる粉流体に添加すれば、既存の設備の改良を最低限に抑制でき、含水率調整用の新水（水道水等）の使用量を抑制（全く使用しないことを含む）できるので、節水が可能となる。
【００１８】
さらに、本実施形態によれば、噴射ノズル７ｃを用いて粉流体への加水を行っているので、輸送管４内を流れる粉流体を均一に加水することができ、その結果、輸送管４における振動や騒音の発生をより効果的に抑制することができる。
【００１９】
なお、本実施形態のように、脱水プレス後に粉流体を再度加水する手法に代えて、脱水プレス部３におけるプレス圧を弱めることによって、含水率を調整する手法も考えられる。プレス圧を弱める方法としては、例えば、プレス体３ａのテーパーを緩くして上記プレス空間を広げたり、スクリーン孔３ｃを埋めたりするといった改良が考えられる。しかしながら、これらの場合、プレス空間内に充填されている糖化粕がエア抜け防止のためのシール材として十分に機能せず、輸送管４内に供給された高圧の圧送エアが脱水プレス部３を逆流し、プラグ輸送が実現できなくなるといった別の問題が生じるほか、既存の脱水プレス部３を改造するためのコストが嵩むといった問題もある。本実施形態では、脱水プレス部３自体の構成を変更する必要はないので、これらの問題が本来的に生じない点で、プレス圧を弱める方法よりも優れている。
【産業上の利用可能性】
【００２０】
本発明は、ビールの製造過程で生じる糖化粕のみならず、様々な目標物の生成過程で生じる各種の処理対象物を含めて、脱水プレスされた粉流体のプラグ輸送において、広く適用することができる。
【符号の説明】
【００２１】
１  プラグ輸送システム
２  搬送元タンク
２ａ  スクリューコンベア
３  脱水プレス部
３ａ  プレス体
３ｂ  筒状体
３ｃ  スクリーン孔
４  輸送管
５  搬送先タンク
６  圧送エア供給部
７  加水処理部
７ａ  搾汁貯留槽
７ｂ  ポンプ
７ｃ  噴射ノズル
７ｄ  流量センサ
７ｅ  指示調整器
７ｆ  流量制御弁
８  ナイフゲートバルブ
９  逆止弁